(57)【要約】      （修正有）【課題】腕の動きをよくするなかで肩ズレ防止機能も備え、ファッション性にも富んだ袖付きエプロンを提供する。【解決手段】襟ぐり１３ａ付きの前身頃部１３と左後身頃部と右後身頃部とを備えるエプロン本体１２と、エプロン本体の袖ぐり１６，１７に縫着される袖部２２と、左後身頃部側と右後身頃部側とから引き出される結び紐３２とで少なくとも構成され、エプロン本体は、襟ぐり１３ａ近傍を始端位置として左後身頃部の上辺開放端部と右後身頃部の上辺開放端部とに縫着された肩紐部を備え、袖部２２は、上辺開放端部に対し２．５〜３．５ｃｍ手前に位置する部位の肩紐部から袖ぐり１６，１７の下側途中位置へと至る部位に縫着する。これにより着用者の脇下部位に扇形切欠部２５の確保を可能とする。【選択図】図１
0003190701.tif 000002
【実用新案登録請求の範囲】
【請求項１】
着用者の前面側を覆う襟ぐり付きの前身頃部と、該前見頃部側から延設されて着用者の背面側所要領域を左右から覆う左側後身頃部と右側後身頃部とを備えて一体に形成されるエプロン本体と、該エプロン本体に設けられた左右の袖ぐりを介して各別に縫着される左右一対の袖部と、前記エプロン本体における前記左後身頃部側と前記右後身頃部側とから各別に引き出される左右一対の結び紐とで少なくとも構成され、
前記エプロン本体は、前記襟ぐりの左右近傍をそれぞれの始端位置として前記左後身頃部の上辺開放端部と前記右後身頃部の上辺開放端部へと各別に架け渡されて縫着される左右一対の肩紐部を備え、
前記袖部は、袖口から袖付け根に向かって幅広となる筒状に形成され、かつ、前記上辺開放端部に対し２．５〜３．５ｃｍ手前に位置する部位の前記肩紐部から前記袖ぐりの下側途中位置へと至る部位に対し逢着することで着用者の脇下部位に扇形切欠部の確保を可能としたことを特徴とする袖付きエプロン。
【請求項２】
前記結び紐は、それぞれの長さを６８〜７１ｃｍとし、その紐幅が先端方向に向かって幅広となるリボン状に形成した請求項１に記載の袖付きエプロン。
【請求項３】
前記袖部は、前記エプロン本体とは異なる生地である撥水性織物地により形成した請求項１または２に記載の袖付きエプロン。
【請求項４】
前記袖部をたくし上げた際の袖抑えとしての機能をも兼備する一対のシュシュをその構成部材に含む請求項１ないし３のいずれかに記載の袖付きエプロン。
【請求項５】
エプロン本体の前記前見頃部には、必要部材の収納が可能な左右一対のポケットを具備させた請求項１ないし４のいずれかに記載の袖付きエプロン。
【考案の詳細な説明】
【技術分野】
【０００１】
本考案は、袖付きエプロンに係り、さらに詳しくは、使い勝手よく着用することができる実用性を備えるばかりでなく、優れたファッション性をも発揮させることができる袖付きエプロンに関する技術である。
【背景技術】
【０００２】
エプロンは、主に作業時において着用者の身体および衣服の前面を保護することを目的として従来より着用されてきており、とりわけ炊事・洗濯時に着用される実用着として広く利用されている。
【０００３】
ところで、エプロンには、目的用途に応じて様々なスタイルのものがあり、そのなかには、例えば袖を取り外せばエプロンワンピースとなるように構成された特許文献１に開示されているようなワンピース型エプロンも既に提案されている。
【先行技術文献】
【特許文献】
【０００４】
【特許文献１】特開２００４−１８３１７１号公報
【０００５】
すなわち、特許文献１のワンピース型エプロンは、エプロン本体と左右一対の袖部とからなり、これらの袖部は、止め部材を介してエプロン本体に対しそれぞれを着脱可能に取り付けることができるようになっている。
【０００６】
しかも、特許文献１における左右の袖部は、エプロン本体に対しその肩部側が固着されているものの、脇部側が非固着状態となっているので、脇部を自由に動かすことができることから、腕を上下、前後に動かしやすく、調理などの作業を楽に行うことができるとされている。
【考案の概要】
【考案が解決しようとする課題】
【０００７】
しかし、特許文献１のワンピース型エプロンは、左右の各袖部がエプロン本体に対し着脱可能に取り付ける構造を採用するものではあっても、エプロン全体としてみた場合のデザイン的な一体感に乏しいだけでなく、実用的な観点から改良の余地があるほか、さらには、袖口にゴムが配設されていることからゴム跡がついてしまうなどといったファッション的な観点からの不具合もあった。
【０００８】
本発明は、従来技術にみられた上記課題に鑑み、着用時における腕の動きをよくできるばかりでなく肩ズレも効果的に防止することができ、さらにはファッション性にも富む実用的な袖付きエプロンを提供することにその目的がある。
【課題を解決するための手段】
【０００９】
本考案は、上記目的を達成すべくなされたものであり、その構成上の特徴は、着用者の前面側を覆う襟ぐり付きの前身頃部と、該前見頃部側から延設されて着用者の背面側所要領域を左右から覆う左側後身頃部と右側後身頃部とを備えて一体に形成されるエプロン本体と、該エプロン本体に設けられた左右の袖ぐりを介して各別に縫着される左右一対の袖部と、前記エプロン本体における前記左後身頃部側と前記右後身頃部側とから各別に引き出される左右一対の結び紐とで少なくとも構成され、前記エプロン本体は、前記襟ぐりの左右近傍をそれぞれの始端位置として前記左後身頃部の上辺開放端部と前記右後身頃部の上辺開放端部へと各別に架け渡されて縫着される左右一対の肩紐部を備え、前記袖部は、袖口から袖付け根に向かって幅広となる筒状に形成され、かつ、前記上辺開放端部に対し２．５〜３．５ｃｍ手前に位置する部位の前記肩紐部から前記袖ぐりの下側途中位置へと至る部位に対し逢着することで着用者の脇下部位に扇形切欠部の確保を可能としたことを最も主要な特徴とする。
【００１０】
この場合、前記結び紐は、それぞれの長さを６８〜７１ｃｍとし、その紐幅が先端方向に向かって幅広となるリボン状に形成するのが好ましい。また、前記袖部は、前記エプロン本体とは異なる生地である撥水性織物地により形成するのが望ましい。さらに、前記袖部をたくし上げた際の袖抑えとしての機能をも兼備する一対のシュシュをその構成部材に含むものであってもよい。さらにまた、エプロン本体の前記前身頃部には、必要部材の収納が可能な左右一対のポケットを具備させておくこともできる。
【考案の効果】
【００１１】
請求項１の考案によれば、エプロン本体の上辺開放端部に対し２．５〜３．５ｃｍ手前に位置する部位の肩紐部から袖ぐりの下側途中位置へと至る部位に対し袖部を逢着することで、着用者の脇下部位に扇形切欠部を確保して腕の動きを円滑にするとともに、着用時の暑さ対策としても有効に機能させることができる。
【００１２】
また、エプロン本体と肩紐部と結び紐との三者は、これらが一体化して縫着されているので、結び紐を結び合わせた際に肩ズレを効果的に防止することができるほか、その縫着状態も強固なものとすることができる。さらに、エプロン本体からは、従来は首後ろ側に掛けるために必要であった支持紐を一掃してあるので、着用時における首側への負担をなくして肩こりなどを効果的に防止することができる。
【００１３】
また、請求項２の考案によれば、結び紐がその長さを６８〜７１ｃｍとし、先端方向に向かって幅広となるリボン状に形成されているので、着用者の体型に対応させて前結びとしたり、後ろ結びとすることができるほか、結び合わせた際にリボン状の結び目を形成することができるので、優れたファッション性を発揮させることもできる。
【００１４】
請求項３の考案によれば、袖部がエプロン本体の生地とは異なる撥水性織物地を用いて形成されているので、エプロン本体とは異なる装飾的な効果を発揮させることができるだけでなく、水濡れしやすい袖周り部分に優れた防水性を付与することもできる。
【００１５】
請求項４の考案によれば、袖部をたくし上げた際に袖抑えとして用いることができる一対のシュシュがその構成部材に含まれているので、袖口のゴムに代えてシュシュを用いることで、手首にゴム跡をつけることなく袖周りが火炎に触れにくくすることができるほか、その装着位置により使い勝手やファッション性に変化を与えることもできる。
【００１６】
請求項５の考案によれば、エプロン本体の前身頃部には、左右一対のポケットを備えているので、シュシュを仕舞っておいたり、携帯電話等の携帯端末を入れておく等、適宜の必要部材を収納しておくことができる。
【図面の簡単な説明】
【００１７】
【図１】本考案の一例を示す正面図。
【図２】図１に対応させた背面図（シュシュを除く）。
【図３】本考案におけるエプロン本体と袖部との縫着状態を腕を上げた状態で示す斜視図。
【考案を実施するための形態】
【００１８】
図１〜図３によれば、袖付きエプロン１１は、着用者Ｈの前面側を覆う襟ぐり１３ａ付きの前身頃部１３と、該前見頃部１３側から延設されて着用者Ｈの背面側所要領域を左右から覆う左側後身頃部１４と右側後身頃部１５とを備えて一体に形成されるエプロン本体１２と、該エプロン本体１２に設けられた左右の袖ぐり１６，１７を介して各別に縫着される左右一対の袖部２２，２２と、エプロン本体１２における左後身頃部１４側と右後身頃部１５側とから各別に引き出される左右一対の結び紐３２，３２と、袖部２２，２２をたくし上げた際の袖抑えとしての機能をも兼備する一対のシュシュ４２，４２とで構成されている。
【００１９】
これらのうち、エプロン本体１２は、例えば夏用以外であれば１００％の生地を用い、夏用であれば綿３５％、ポリエステル６５％の生地を用いるなど、必要に応じて選択される適宜の生地を用いて形成することができる。
【００２０】
この場合、エプロン本体１２における前身頃部１３は、縦寸が９０ｃｍ前後で胴部の横寸が６０ｃｍ前後であり、裾側が胴部よりもやや幅広な７０ｃｍ前後となるようにして形成されている。また、前身頃部１３が備える襟ぐり１３ａは、その横幅が１７〜１９ｃｍ程度で、最も深い部位を７．５〜８．５ｃｍ程度まで凹陥させた湾曲形状を呈して形成されている。なお、前見頃部１３の適宜位置には、必要部材の収納が可能な例えば縦横が１５．５〜１７．５ｃｍの左右一対のポケット２０，２０を設けておくこともできる。
【００２１】
さらに、前身頃部１３が備える左右の袖ぐり１６，１７は、左右を向き合わせるとその全体で３０ｃｍ程度の深さの略放物線を描くような曲線形状を呈して形成されている。
【００２２】
一方、エプロン本体１２における左後身頃部１４と右後身頃部１５とは、左右の袖ぐり１６，１７の下端に位置するそれぞれの前身頃部１３の下方側部位が１４ｃｍ程度背面側へと入り込むように延設することで各別に形成されている。
【００２３】
しかも、エプロン本体１２は、襟ぐり１３ａの左右近傍をそれぞれの始端位置として左側後身頃部１４の上辺開放端部１４ａと右側後身頃部１５の上辺開放端部１５ａへと各別に架け渡されて縫着された長さが３５〜４５ｃｍ前後の左右一対の肩紐部１８，１９を備えている。
【００２４】
各袖部２２は、適宜の生地を用いて形成することができるが、例えば綿１００％の適宜の撥水処理が施されたで撥水性織物地により形成したものを好適に用いることができる。
【００２５】
この場合、各袖部２２は、袖口２３から袖ぐり１６，１７の位置である袖付け根２４に向かって幅広となる長さが５２ｃｍ前後の筒状となって形成されている。つまり、図１に示すように展開した状態での左側の袖口２３から右側の袖口２３までの全長は、１３４ｃｍ前後となる。
【００２６】
しかも、各袖部２２は、左後身頃部１４の上辺開放端部１４ａと右後身頃部１５の上辺開放端部１５ａとに対し２．５〜３．５ｃｍ程度手前に位置する部位（袖付け後ろ）の肩紐部１８，１９を図２や図３に示すように自由端ａとして残した状態のもとで、肩紐部１８，１９から前身頃部１３の袖ぐり１６，１７の下側途中位置へと至る部位に対し逢着することで、図３に示すように着用者Ｈの脇下部位（袖付け前）に扇形切欠部２５が確保できるようにして取り付けられている。
【００２７】
このため、各袖部２２における袖付け前側には、腕Ａの動きを円滑にするために必要な空間が扇形切欠部２５として確保されることになる。
【００２８】
また、左右一対の結び紐３２，３２は、肩紐部１８，１９の終端部１８ａ，１９ａの縫着位置である左後身頃部１４の上辺開放端部１４ａと右後身頃部１５の上辺開放端部１５ａとにそれぞれの基端部３３，３３が各別に縫着されて斜め下方向にて交差する配置関係となって引き出されている。つまり、エプロン本体１２と肩紐部１８，１９と結び紐３２，３２とは、肩ズレ防止に有効な位置にて三者が一体化して縫着されることから、その縫着状態も強固なものとなっている。
【００２９】
この場合、各結び紐３２，３２は、その全長が６８〜７１ｃｍ前後であるのが望ましく、さらには、それぞれの紐幅が先端方向に向かって幅広となるリボン状に形成するのが好ましい。
【００３０】
また、本考案には、袖部２２をたくし上げた際の袖抑えとしての機能をも兼備する一対のシュシュ４２，４２をその構成部材に含むものであってもよい。この場合、各シュシュ４２は、ゴム芯を使い勝手やファッション性に富む適宜のデザインが付与された布やレースで覆った伸縮自在な環状を呈して形成されている。
【００３１】
次に、このようにして構成されている本考案につき、その作用・効果を説明すれば、着用者Ｈは、左の袖部には左腕を、右の袖部には右腕をそれぞれ通し、襟ぐり１３ａに前首側を位置させることで身に着けることができる。
【００３２】
このとき、着用者Ｈの両肩部位の前面側には、袖ぐり１６，１７に沿った前身頃部１３を、両肩部位の背面側には、肩紐部１８，１９を、それぞれ位置させた状態、つまり、着用者Ｈの首後ろ側に負担がかからないフリーな状態にして身に着けることができることになる。
【００３３】
このような位置状態のもとで身に着けた後は、結び紐３２，３２相互を結び合わせることで、左後身頃部１４と右後身頃部１５とで着用者の背面側所要領域を左右から覆った状態のもとで着用することができることになる。
【００３４】
しかも、結び紐３２，３２相互を結び合わせた際には、エプロン本体１２と肩紐部１８，１９と結び紐３２，３２との三者が一体化して縫着されている部位が背骨方向に向かって引っ張られることから、着用時における肩ズレの発生を効果的に防止することができることになる。
【００３５】
また、エプロン本体１２は、着用者Ｈの前面側を覆う前身頃部１３と、着用者Ｈの背面側所要領域を左右から覆う左後身頃部１４と右後身頃部１５とを備えているので、着用者の背面側をすっぽりと覆って温かく着用することができるほか、着用者Ｈが太り気味とやせ気味とのいずれであってもよく適合させて着用することができる。
【００３６】
しかも、各結び紐３２，３２が６８〜７１ｃｍ前後の長さを備えている場合には、着用者Ｈが太り気味であれば後結びで結び合わせることができ、やせ気味であれば一回りさせた前結びで結び合わせることができる。
【００３７】
また、着用時には、着用者Ｈの脇下に扇状切欠部２５を位置させることができるので、夏のような暑い時期であっても比較的涼しく着用することができるばかりでなく、両腕を自由に動かすこともできることになる。
【００３８】
また、本考案の構成部材に一対のシュシュ４２，４２が含まれる場合には、袖部２２，２２をたくし上げた上でシュシュ４２を各別に装着することで、袖抑えとして用いることができることになる。
【００３９】
さらに、エプロン本体１２が左右一対のポケット２０，２０を備えている場合には、着用中に持ち歩く必要のある例えばシュシュ４２，４２や携帯電話等の携帯端末を適宜入れておくことができることになる
【００４０】
このため、本考案によれば、エプロン本体１２の左後身頃部１４の上辺開放端部１４ａと右後身頃部１５の上辺開放端部１５ａとに対し２．５〜３．５ｃｍ手前に位置する部位の肩紐部１８，１９から袖ぐり１６，１７の下側途中位置へと至る部位に対し袖部２２，２２を各別に逢着することで、着用者Ｈの脇下部位に扇形切欠部２５を確保して腕の動きを円滑にするとともに、着用時の暑さ対策としても有効に機能させることができる。
【００４１】
また、エプロン本体１２と肩紐部１８，１９と結び紐３２，３２との三者は、これらが一体化して縫着されているので、結び紐３２，３２を結び合わせた際に肩ズレを効果的に防止することができるほか、その縫着状態も強固なものとすることができる。
【００４２】
さらに、エプロン本体１２に肩紐部１８，１９を設けることで、エプロン本体１２からは、従来は首後ろ側に掛けるために必要であった支持紐をなくすことができるので、着用時における首側への負担をなくして肩こりなどを効果的に防止することができる。
【００４３】
また、結び紐３２，３２がその長さを６８〜７１ｃｍとし、先端方向に向かって幅広となるリボン状に形成されている場合には、着用者Ｈの体型に対応させて前結びとしたり、後ろ結びとすることができるほか、結び合わせた際にリボン状の結び目を形成することができるので、優れたファッション性を発揮させることもできる。
【００４４】
さらに、袖部２２，２２がエプロン本体１２の生地とは異なる撥水性織物地を用いて形成されている場合には、エプロン本体１２とは異なる装飾的な効果を発揮させることができるだけでなく、水濡れしやすい袖周り部分に優れた防水性を付与することもできる。
【００４５】
さらにまた、袖部２２，２２をたくし上げた際に袖抑えとして用いることができる一対のシュシュ４２，４２がその構成部材に含まれている場合には、袖口２３のゴムに代えてシュシュ４２を用いることで、手首にゴム跡をつけることなく袖周りが火炎に触れにくくすることができるほか、その装着位置により使い勝手やファッション性に変化を与えることもできる。
【００４６】
また、エプロン本体１２の前身頃部１３に左右一対のポケット４２，４２を備えている場合には、シュシュ４２，４２を仕舞っておいたり、携帯電話等の携帯端末を入れておく等、適宜の必要部材を収納しておくことができる。
【符号の説明】
【００４７】
１１  袖付きエプロン
１２  エプロン本体
１３ａ  襟ぐり
１３  前身頃部
１４  左後身頃部
１４ａ  上辺開放端部
１５  右後身頃部
１５ａ  上辺開放端部
１６，１７  袖ぐり
１８，１９  肩紐部
１８ａ，１９ａ  終端部
２０  ポケット
２２  袖部
２３  袖口
２４  袖付け根部
２５  扇形切欠部
３２  結び紐
３３  基端部
４２  シュシュ
Ｈ  着用者
Ａ  腕
【図１】
0003190701.tif 000003
【図２】
0003190701.tif 000004
【図３】
0003190701.tif 000005